(57)【要約】【課題】簡易な構成で基部とこの基部に対して相対変位する可動部との相対位置を判別可能な電子装置を提供する。【解決手段】第１の筐体１１と第２の筐体１２とはヒンジで結合されており、表示部１４の表示用データを伝送する光配線がヒンジを挿通している。ＣＰＵ１３は、光配信制御部３８に信号状態の検出用データを送信する。この検出用データには誤り検出用の符号が付加されている。光配信制御部３８は、検出用データを電光変換して光配線を介して表示部１４側へ送信し、光電変換する。損失率判別部３９は、光電変換された検出用データのエラーレートを求め、エラーレートが所定の高値である場合には、ＣＰＵ１３に割込み信号を送信する。ＣＰＵ１３は、この割込み信号により、筐体が開かれているか否かを判別する。【選択図】図３
2009206622.tif 000002
【特許請求の範囲】
【請求項１】
データ信号を送信する送信手段を備える基部と、
前記データ信号を受信する受信手段を備え、前記基部に対する相対位置を変更可能に前記基部に支持された可動部と、
前記送信手段と前記受信手段との間で前記データ信号を光伝送するとともに、前記可動部の相対変位に従って変形する光配線と、
この光配線を介して伝送された前記データ信号の信号状態を判別する信号状態判別手段と、
前記信号状態に基づいて前記可動部の前記相対位置を判別する位置判別手段と、を備える、
ことを特徴とする電子装置。
【請求項２】
更に、前記相対位置の判別結果に応じた処理を指令する指令手段を備える、
ことを特徴とする請求項１に記載の電子装置。
【請求項３】
前記基部は第１の筐体であり、
前記可動部は前記第１の筐体にヒンジで結合された第２の筐体であり、
前記光配線は前記ヒンジを挿通するように配置されている、
ことを特徴とする請求項１又は２に記載の電子装置。
【請求項４】
前記基部は、前記送信手段に指示情報を入力する入力手段を備え、
前記可動部は、前記受信手段が受信した前記データ信号に従って画像を表示する表示手段を備える、
ことを特徴とする請求項１乃至３のいずれか１項に記載の電子装置。
【請求項５】
前記指令手段は、前記相対位置の判別結果に応じて、前記入力手段にこの入力手段の状態を変化させる指令を送信する、
ことを特徴とする請求項４に記載の電子装置。
【請求項６】
音声情報を入力する音声入力手段を更に備え、
前記指令手段は、前記相対位置の判別結果に応じて、前記音声入力手段にこの音声入力手段のオンオフを切り替える指令を送信する、
ことを特徴とする請求項２乃至５のいずれか１項に記載の電子装置。
【請求項７】
更に、前記信号状態と前記相対位置とを対応付けて記憶する記憶手段を備え、
前記位置判別手段は、検出された前記信号状態に基づいて、前記記憶手段を参照して前記相対位置を判別する、
ことを特徴とする請求項１乃至６のいずれか１項に記載の電子装置。
【請求項８】
前記送信手段は、所定の前記相対位置のときに、ダミーデータを前記受信手段に送信し、
前記信号状態判別手段は、前記光配線を介して伝送された前記ダミーデータの信号状態を判別し、
前記位置判別手段は、検出された前記ダミーデータの信号状態に基づいて前記相対位置を判別する、
ことを特徴とする請求項１乃至７のいずれか１項に記載の電子装置。
【請求項９】
前記信号状態判別手段は、伝送された前記データ信号又は前記ダミーデータのビットエラーレートを検出し、このビットエラーレートに基づいて前記信号状態を判別する、
ことを特徴とする請求項１乃至８のいずれか１項に記載の電子装置。
【発明の詳細な説明】
【技術分野】
【０００１】
本発明は、光配線を備えた電子装置に関する。
【背景技術】
【０００２】
従来、折り畳み式の携帯電話機等の電子装置において、その開閉検知はマグネット（磁石）とホール素子を用いて行われている（例えば、特許文献１参照）。
【０００３】
特許文献１に記載された携帯端末は、２軸ヒンジを備えた折り畳み式携帯電話機である。この携帯端末は、キー操作部を有する本体に対してヒンジ部が回転可能とされるとともに、表示画面を有する蓋体がヒンジ部に対して回転可能とされており、本体と蓋体とを重ね合わせることができる。
【０００４】
特許文献１の携帯端末には、本体又は蓋体の一方にホール素子等の磁気センサが設けられており、他方に磁石が設けられている。即ち、本体と蓋体とが重ね合わせられた状態で磁気センサと磁石とが対向するように配置されている。これにより、本体と蓋体との開閉状態、即ち、一方を基部としたときにこの基部に対して相対変位する可動部の相対位置を求めることが可能である。
【特許文献１】特開２００５−２４４７５２号公報
【発明の開示】
【発明が解決しようとする課題】
【０００５】
近年の携帯端末には、例えば方位センサ等の各種センサが搭載されたものがあるが、これらのセンサへの磁石の影響を考慮する必要があることから、端末の実装条件に制約が生じるという問題点がある。また、開閉の感度が低下しないように磁石の磁気を強くすると、携帯端末の周囲への磁気漏洩が大きくなり、周囲の磁気製品（磁気カード等）に悪影響を与えるおそれがある。
【０００６】
また、特許文献１の携帯端末のように複数組の磁気センサと磁石とを搭載するものでは、端末の小型化が困難になるという問題点もある。
【０００７】
本発明は、上記問題点に鑑みてなされたもので、簡易な構成で基部とこの基部に対して相対変位する可動部との相対位置を判別可能な電子装置を提供することを目的とする。
【課題を解決するための手段】
【０００８】
上記目的を達成するため、本発明の電子装置は、
データ信号を送信する送信手段を備える基部と、
前記データ信号を受信する受信手段を備え、前記基部に対する相対位置を変更可能に前記基部に支持された可動部と、
前記送信手段と前記受信手段との間で前記データ信号を光伝送するとともに、前記可動部の相対変位に従って変形する光配線と、
この光配線を介して伝送された前記データ信号の信号状態を判別する信号状態判別手段と、
前記信号状態に基づいて前記可動部の前記相対位置を判別する位置判別手段と、を備える、
ことを特徴とする。
【０００９】
更に、前記相対位置の判別結果に応じた処理を指令する指令手段を備える、
こととしてもよい。
【００１０】
前記基部は第１の筐体であり、
前記可動部は前記第１の筐体にヒンジで結合された第２の筐体であり、
前記光配線は前記ヒンジを挿通するように配置されている、
こととしてもよい。
【００１１】
前記基部は、前記送信手段に指示情報を入力する入力手段を備え、
前記可動部は、前記受信手段が受信した前記データ信号に従って画像を表示する表示手段を備える、
こととしてもよい。
【００１２】
前記指令手段は、前記相対位置の判別結果に応じて、前記入力手段にこの入力手段の状態を変化させる指令を送信する、
こととしてもよい。
【００１３】
音声情報を入力する音声入力手段を更に備え、
前記指令手段は、前記相対位置の判別結果に応じて、前記音声入力手段にこの音声入力手段のオンオフを切り替える指令を送信する、
こととしてもよい。
【００１４】
更に、前記信号状態と前記相対位置とを対応付けて記憶する記憶手段を備え、
前記位置判別手段は、検出された前記信号状態に基づいて、前記記憶手段を参照して前記相対位置を判別する、
こととしてもよい。
【００１５】
前記送信手段は、所定の前記相対位置のときに、ダミーデータを前記受信手段に送信し、
前記信号状態判別手段は、前記光配線を介して伝送された前記ダミーデータの信号状態を判別し、
前記位置判別手段は、検出された前記ダミーデータの信号状態に基づいて前記相対位置を判別する、
こととしてもよい。
【００１６】
前記信号状態判別手段は、伝送された前記データ信号又は前記ダミーデータのビットエラーレートを検出し、このビットエラーレートに基づいて前記信号状態を判別する、
こととしてもよい。
【発明の効果】
【００１７】
本発明によれば、基部と可動部との間に設けられた光配線の変形に従って変化する信号状態を検出することにより、簡易な構成で基部と可動部との相対位置を判別することができる。
【発明を実施するための最良の形態】
【００１８】
以下、本発明の実施の形態に係る電子装置について添付図面を参照して説明する。先ず、本発明の第１の実施形態について説明する。
【００１９】
図１（ａ），（ｂ）に、本実施形態に係る電子装置である携帯端末１０の構成を模式的に示す。この携帯端末１０は、いわゆる折り畳み式の携帯電話機である。図１（ａ）は筐体が折り畳まれた状態（閉状態）を示す側面図であり、図１（ｂ）は筐体が開かれた状態（開状態）を示す側面図である。なお、図１（ａ），（ｂ）においては、図示の簡単化のため以下に示す部品以外の表示は省略する。
【００２０】
図１（ａ）に示すように、携帯端末１０は、第１の筐体１１、第２の筐体１２、ＣＰＵ（Central Processing Unit：中央演算処理装置）１３、表示部１４、光導波路１５、及び、ヒンジ１６を備えている。
【００２１】
第１の筐体１１は、いわゆる本体を構成する筐体であり、キーボード、マイクロホン（図１において図示せず）等の部品を備えている。なお、これらの部品は、図１（ａ）においては、第１の筐体１１の第２の筐体１２と対向する側の面に配置されている。また、第１の筐体１１は、その内部にＣＰＵ１３を収容している。
【００２２】
第２の筐体１２は、いわゆる蓋体を構成する筐体であり、その第１の筐体１１と対向する面に表示部１４を備えている。また、図１（ａ）においては説明の便宜上図示を簡略化しているが、その他に、スイッチ類及びサブ表示部等を備えていてもよい。
【００２３】
ＣＰＵ１３は、通話、通信、及び表示等、携帯端末１０の機能全般を制御する。また、ＣＰＵ１３は、後述するように、筐体の開閉状態、即ち基部に対する可動部の相対的位置を判別する位置判別手段、及び、筐体の開閉状態に応じてマイクロホン等に動作を指令する指令手段としての機能を備えている。
【００２４】
表示部１４は、通話、通信等の操作状態を表示するものであり、その表示画面は、液晶パネルから構成されている。これ以外にも、例えば有機ＥＬ（Electroluminescence）等から表示画面を構成することとしてもよい。
【００２５】
光導波路１５は、ＣＰＵ１３と表示部１４との間で信号を光伝送する。なお、図１（ａ）では図示の簡略化のため光導波路１５がＣＰＵ１３と表示部１４とを接続するように描かれているが、後述するように、光導波路１５は、ＣＰＵ１３と表示部１４との間に配置された光配線部を構成する部品である。光導波路１５は、光信号の通路となるコアと、このコアの周囲に形成されコアよりも光の屈折率が小さいクラッドと、から構成されている。本実施形態においては、コア及びクラッドはポリマー等の樹脂から形成されているが、その他の材料から形成されていてもよい。また、光導波路１５は、ファイバー状に形成されていてもよく、フレキシブル基板等のシート状に形成されていてもよい。
【００２６】
また、光導波路１５は、筐体の開閉の際の変形を吸収するためその長さに余裕が設けられている。即ち、図１（ａ）に示すように、ヒンジ１６内において光導波路１５のループが形成されている。
【００２７】
ヒンジ１６は、第１の筐体１１と第２の筐体１２とを接続する部品である。このヒンジ１６を中心として、第２の筐体１２は第１の筐体１１に対して回動可能に構成されている。また、上述したように、ヒンジ１６は、その内部に光導波路１５等の光配線、及び電気配線（図示せず）を収容している。
【００２８】
図１（ｂ）に、図１（ａ）に示す携帯端末１０の筐体を開いた状態を示す。ユーザは、通話等、携帯端末１０の主要な操作をこの状態で行う。図１（ｂ）に示すように、筐体が開かれることにより、光導波路１５のループ部の曲率が、図１（ａ）に示す閉状態における曲率より小さくなる。換言すれば、開状態のループ部の曲率半径は、閉状態の曲率半径よりも大きい。
【００２９】
図２に、図１に示すＣＰＵ１３と表示部１４との間の配線構成を示す。図２に示すように、ＣＰＵ１３と表示部１４との間にはモジュールとして構成された光配線部２１が配置されている（モジュールの構成はこの限りではなく、例えば、ＣＰＵにシリアライザが含まれていてもよい）。ＣＰＵ１３又は表示部１４と光配線部２１とは、夫々パラレル接続されている。なお、図２に記載された構成は、ＣＰＵ１３から表示部１４へ信号を伝送する場合を示す。
【００３０】
光配線部２１は、シリアライザ２２、電光変換部２３、光電変換部２４、及び、デシリアライザ２５を備えている。なお、図２においては、光導波路１５を挟んでＣＰＵ１３、シリアライザ２２、及び電光変換部２３の側を送信側とし、光電変換部２４、デシリアライザ２５、及び表示部１４の側を受信側とする。
【００３１】
シリアライザ２２は、ＣＰＵ１３から供給された電気信号（パラレル信号）をパラレル／シリアル変換し、シリアル信号として出力する。
【００３２】
電光変換部２３は、シリアライザ２２から供給された電気信号（シリアル信号）を光信号に変換して出力する。本実施形態における電光変換部２３は、ＶＣＳＥＬ（Vertical Surface Emitting Laser：垂直共振器面発光レーザ）と、このＶＣＳＥＬを駆動するドライバとを備えている。電光変換部２３は、信号を、ＶＣＳＥＬが生成するレーザ光として、光導波路１５を介して光電変換部２４に出力する。なお、図２に示すように、シリアライザ２２及び電光変換部２３は、ヒンジ１６よりもＣＰＵ１３に近い側、即ち、第１の筐体１１内に設けられている。
【００３３】
光電変換部２４は、電光変換部２３から供給された光信号を電気信号（シリアル信号）に変換する。本実施形態における光電変換部２４は、光信号を受信するフォトダイオードと、受信した光信号を電気信号に変換・増幅するアンプ部とから構成されている。
【００３４】
デシリアライザ２５は、光電変換部２４から供給された電気信号（シリアル信号）をシリアル／パラレル変換し、パラレル信号として表示部１４に出力する。表示部１４は、このパラレル信号に従って画面表示を行う。
【００３５】
また、デシリアライザ２５とＣＰＵ１３との間には、デシリアライザ２５からＣＰＵ１３へＩＮＴ（割込み）信号２７を送信するための配線が設けられている。この割込み信号については後述する。
【００３６】
次に、本実施形態の携帯端末１０について、第１の筐体１１及び第２の筐体１２の内部における機能的構成を図３に示す。図３に示すように、第１の筐体１１は、上述したＣＰＵ１３の他に、アンテナ３１、マイクロホン３２、通話制御部３３、入力部３４、記憶部３５、音声出力制御部３６、スピーカ３７、及び、光配信制御部３８を備えている。また、第２の筐体１２は、図１に示す表示部１４の他に損失率判別部３９及びレシーバ４０を備えている。
【００３７】
通話制御部３３は、アンテナ３１を介して外部と無線送受信を行う。また、通話制御部３３は、マイクロホン３２とレシーバ４０とを受話器として、外部との通話を行う。
【００３８】
入力部３４は、キーボード等の入力装置であり、ユーザの操作に従って、信号をＣＰＵ１３に入力する。本実施形態における入力部３４は、キーボード用の照明を備えている。なお、入力部３４は、例えばタッチパネル等であってもよい。
【００３９】
記憶部３５は、ＲＯＭ（Read Only Memory）、ＲＡＭ（Random Access Memory）等の記憶装置である。記憶部３５には、ＣＰＵ１３が実行するプログラム及びデータ等が格納されている。また、記憶部３５は、例えば、ＣＰＵ１３がプログラムを実行する際のワークメモリとして動作する。
【００４０】
音声出力制御部３６は、ＣＰＵ１３からの指令に従って、信号をデジタル／アナログ変換して、スピーカ３７から音声信号として出力する。
【００４１】
光配信制御部３８は、ＣＰＵ１３からの指令に従って、表示部１４に表示させるデータ信号を電光変換及び光電変換する。データ信号は、表示部１４及び損失率判別部３９に供給され、表示部１４はこの信号に従って画面表示を行う。
【００４２】
損失率判別部３９は、図１に示す光導波路１５を介して行われる光通信における損失率（エラーレート）を検出する。そして、検出された損失率が所定の基準値よりも大きい（又は小さい）か否かを判別し、その結果に従ってＣＰＵ１３に割込み信号を出力する。なお、光配信制御部３８と損失率判別部３９とは図２に示す光配線部２１に相当する。光配信制御部３８は、図示の便宜上第１の筐体１１側に表示しているが、第１の筐体１１と第２の筐体１２との両方に含まれる。また、損失率判別部３９は、デシリアライザ２５の一部を構成している。
【００４３】
以上のように構成された本実施形態の携帯端末１０においては、第１の筐体１１と第２の筐体１２との開閉状態を、光通信の損失率を検出することにより判別する。以下、その理由について説明する。
【００４４】
最近の携帯電話機は、表示部の液晶画面の大きさがＶＧＡ（Video Graphics Array）サイズまで大きくなってきている。また、静止画だけでなく、ＶＧＡサイズの動画も取り扱われるようになってきていることから、ヒンジ部を通るデータ量は、昔に比べて増大している。それに伴い、ＥＭＩ（ElectroMagnetic Interference）対策として接続方式がバス接続から高速シリアル接続に変わりつつあり、さらに今後は光配線技術を用いることが想定される。この光配線技術は、高速伝送を可能にする一方で、光導波路の部分を曲げると、損失が大きくなり、信号品質が劣化するという特性がある。
【００４５】
図４は、光導波路１５を曲げてループを構成した場合において、横軸にループ部の曲率半径Ｒ（ｍｍ）をとり、縦軸に光信号の損失変化（ｄＢ）をとって、両者の関係を示すグラフ図である。なお、図４における損失変化とは、直線状態の光導波路の挿入損失に対する損失の増加分とする。
【００４６】
図４に示すように、ループ部の曲率半径Ｒが小さくなるに従って信号の損失変化が大きくなる。また、曲率半径Ｒが大きい領域では、Ｒの変化に対する損失変化の増減は比較的小さいのに対して、曲率半径Ｒが小さい領域では、Ｒの変化に対して損失変化の増減が大きくなるという性質を示す。
【００４７】
図１において上述したように、筐体の開閉状態によってヒンジ１６内に収容された光導波路１５のループ部の曲率半径が異なる。従って、図４に示す光導波路の性質を利用して、本実施形態においては信号の損失率を取得することにより、筐体の開閉状態を判別することが可能となる。
【００４８】
以下、本実施形態における筐体の開閉検出動作について、図５及び図６を参照して説明する。図５は、筐体の開閉検出処理を示すフローチャートであり、図６は、筐体の開閉状態と、表示用信号のエラーレート、割込み信号、及び送信データと、の関係を示すタイミングチャートである。なお、図１〜図４も適宜参照する。
【００４９】
図５に示すように、開閉検出処理が開始されると、先ず、ＣＰＵ１３から表示部１４に向けて開閉状態の検出用データを送信する（ステップＳ１１）。この検出用データは、図６に示す画面表示用の表示データ又はダミーデータ（ビーコン信号）である。このとき、図２に示すシリアライザ２２は、検出用データのシリアル信号にエラー検出のための符号を追加する。この符号は、誤りの検出に加えて訂正が可能な符号であってもよく、例えば、ＥＣＣ（Error Correcting Code）方式、ＣＲＣ（Cyclic Redundancy Check）方式、及びパリティチェック等、種々の方法に基づく符号とすることができる。エラー検出用符号が付加された検出用データ（シリアル信号）は、上述したように、電光変換、光電変換、シリアル／パラレル変換を経て表示部１４側に送信される。
【００５０】
次に、図３に示す損失率判別部３９は、検出用データを受信し、このデータに基づいて信号の損失率を求める（ステップＳ１２）。ここでは、受信したデータのエラーレートを測定することにより、信号の損失率を求める。本実施形態におけるエラーレートは、受信したデータのエラービット数を送信ビット数で割ることによって求められるビットエラーレートである。なお、エラーレートのチェックのタイミングは、例えば、画面表示のフレーム単位、１００ｍｓｅｃ単位等、ユーザービリティを損ねない範囲で任意とすることができる。
【００５１】
次に、開閉状態の変化の検出を行う（ステップＳ１３）。ここでは、図４に示すような光導波路１５のループ部の曲率半径Ｒと損失率との関係から、筐体の開状態と閉状態とを区分する損失率のしきい値が予め定められている。損失率判別部３９は、損失率が所定のしきい値を超えて大きくなったと判別すると、ＣＰＵ１３にＩＮＴ（割込み）信号２７を送信する。本実施形態におけるＩＮＴ信号２７は、筐体が閉状態であるとき、即ちエラーレートが高値であるときにアサートとし、筐体が開状態であるとき、即ちエラーレートが低値であるときにネゲートとする。このＩＮＴ信号２７の変化により、ＣＰＵ１３は開閉状態が変化したと判断する。また、損失率と、これに対応するＩＮＴ信号２７の状態及び筐体の開閉状態との関係は、記憶部３５に予め記憶されており、ＣＰＵ１３はこの関係を参照して後述するステップにおいて筐体が開状態であるか閉状態であるかを判別する。これにより、光通信の信号品質から開閉状態を求めることが可能となる。
【００５２】
図６に示す時刻ｔ１では、筐体は開状態が継続しており（いわゆる開きっぱなしの状態）、この状態で検出用データとして表示データが送信される。このとき、開閉状態の変化は検出されず（ステップＳ１３：ＮＯ）、処理はステップＳ１６に進む。
【００５３】
時刻ｔ１において、筐体は開であるため、エラーレートは低い値を示す。これにより、筐体は開状態（ステップＳ１６：ＹＥＳ）であると判別され、処理はステップＳ１７に進む。
【００５４】
ステップＳ１７では、図３に示す入力部３４に一定期間入力がないか否かが判別される。時刻ｔ１では、操作中であるものとする（ステップＳ１７：ＮＯ）ため、処理はステップＳ１１に戻る。
【００５５】
入力部３４に一定期間入力がない場合（ステップＳ１７：ＹＥＳ）には、操作が行われていないことを意味する。このとき、ＣＰＵ１３は筐体が閉じたときと同様に一部の機能を停止等させる指令を発する（ステップＳ１８）。本実施形態では、ＣＰＵ１３は、表示部１４に対して、表示及びバックライトをＯＦＦ（オフ）にする指令を送信する。また、ＣＰＵ１３は、入力部３４に対して、キーボードの照明をＯＦＦにする指令を送信する。入力部３４がタッチパネルである場合には、キー表示をＯＦＦにすることとしてもよい。また、ＣＰＵ１３はマイクロホン３２をＯＦＦにする指令も発する。
【００５６】
その後、図６に示すｔ２において、筐体が閉じられると、エラーレートは時刻ｔ２〜ｔ３にかけて増加し、所定のしきい値を超えた高値となる。このとき、表示データは継続して送信中である。図５においては、時刻ｔ２の時点では時刻ｔ１における処理と同様に、開状態が継続していると判別される。時刻ｔ３の時点では、ステップＳ１３において状態変化が検出される（ステップＳ１３：ＹＥＳ）ので、処理はステップＳ１４に進む。
【００５７】
なお、エラーレートが上がった時に、筐体が閉じられて信号品質が劣化したことによるものか、又は単なる信号劣化によるものかが判別できない可能性があるため、損失率判別部３９での信号品質のチェックは複数回行うことが望ましい。
【００５８】
ステップＳ１４では、状態変化が閉から開への変化であるか否かが判別される。この判別は、ＩＮＴ信号２７がアサート（閉）であるかネゲート（開）であるかによって行うことができる。時刻ｔ３では開から閉への変化である（ステップＳ１４：ＮＯ）ことから、処理はステップＳ１８に進み、上述したように照明等の機能をＯＦＦにする。そして、処理はステップＳ１１に戻る。
【００５９】
その後、エラーレートが高値になったことから、時刻ｔ４において、損失率判別部３９はＩＮＴ（割込み）信号２７をアサートする。なお、この時点では表示データは継続して送信中であるが、割込み信号がＣＰＵ１３に送信されることにより、ＣＰＵ１３はその後表示データの出力を中止する。なお、図５において、時刻ｔ４の時点では閉状態が継続している（ステップＳ１３：ＮＯ及びステップＳ１６：ＮＯ）と判別され、処理はステップＳ１１に戻る。
【００６０】
図６に示すように、時刻ｔ４の後に表示データの送信は中止されるが、その後の送信再開までは、開閉状態を検出するためのビーコン信号がＣＰＵ１３から間欠的に送信される。このビーコン信号にも、表示データと同様に、エラー検出用符号が付加されている。損失率判別部３９は、ビーコン信号を受信し、エラーレートを求める。
【００６１】
その後、図６に示すｔ５において、筐体が開かれると、エラーレートは時刻ｔ５〜ｔ６にかけて減少し、所定のしきい値未満の低値となる。このとき、ＣＰＵ１３からは定期的にビーコン信号が送信されている。そして、時刻ｔ６においてＩＮＴ信号２７がネゲートされる。図５においては、時刻ｔ５の時点では時刻ｔ４における処理と同様に、閉状態が継続していると判別される。時刻ｔ６の時点では、ステップＳ１３において状態変化が検出される（ステップＳ１３：ＹＥＳ）ので、処理はステップＳ１４に進む。そして、ここでは閉から開への状態変化である（ステップＳ１４：ＹＥＳ）ので、処理はステップＳ１５に進む。
【００６２】
閉から開への状態変化は、これからユーザが携帯端末１０の使用を開始することを意味する。従って、ステップＳ１５において、照明等のＯＮ（オン）動作が行われる。ここでＯＮにされる機能は、ステップＳ１８においてＯＦＦにされる機能と同様である。このように、ＣＰＵ１３は、判別された筐体の開閉状態に応じて、入力部３４の状態を変化（照明のＯＦＦ等）させたり、マイクロホン３２のオンオフを切り替えたりする指令を行う。そして、処理はステップＳ１１に戻る。なお、ＣＰＵ１３が筐体の開閉状態に応じて指令を送信する対象及び動作は、上述したものには限られない。
【００６３】
その後、筐体が開状態であると判別されたことから、図６に示す時刻ｔ７において、ＣＰＵ１３は、ビーコン信号の送信を中止し、表示データの送信を再開する。このとき、図５における処理は、時刻ｔ１における処理と同様である。
【００６４】
以上説明したように、本実施形態においては、携帯端末のＣＰＵと表示部との間を、光導波路を用いて接続する。また、光導波路をヒンジ部においてループを形成するように配置し、この光導波路を介して送信されるデータの信号品質をチェックすることにより、筐体の開閉状態を検出する。このように、基部とこの基部に対して相対的に変位する可動部との間に設けられた光配線を備えた電子機器において、本実施形態の構成とすることにより、磁気センサと磁石とを用いることなく、光通信を利用して基部に対する可動部の相対的な位置を判別することができる。また、この相対的位置の判別結果に応じて、例えばマイクロホン、照明、入力部、表示部等の機能を制御することもできる。
【００６５】
なお、基部と可動部との変位は相対的なものであるので、例えば第１の筐体１１と第２の筐体１２とはどちらを基部として扱ってもよいが、本実施形態においては第１の筐体１１（送信側）を基部とし、第２の筐体１２（受信側）を可動部とする。後述する第２の実施形態のように、光配線が往復で用いられる場合でも、一方を基部とし、他方を可動部とすればよい。
【００６６】
また、本実施形態では第１の筐体１１（送信側）と第２の筐体１２（受信側）とヒンジ１６で結合し、光導波路１５をこのヒンジ１６に挿通させる。そして、ヒンジ１６内における光導波路１５の変形状態に基づいて筐体の開閉状態を判別する。本実施形態の構成によれば、シリアル／パラレル変換部にエラー検出回路を付加し、またシステムに対する割り込み信号を付加するだけであるので、追加コストを抑制することができる。従って、本発明によれば、簡易な構成で携帯端末を小型化することができる。
【００６７】
また、本実施形態で説明したように、光通信の信号品質を検出するためのデータとして画面表示用データとダミーデータとを用い、信号のビットエラーレートを検出することにより、筐体の閉時には画面表示を行わない電子装置においても光通信を利用して筐体の開閉状態を判別することができる。
【００６８】
次に、本発明の第２の実施形態について説明する。図７は、本実施形態における光配線部の構成を示すブロック図であり、図２と対応する図である。なお、以下の説明において、第１の実施形態と同一の構成は、同一の符号を付してその詳細な説明を省略する。
【００６９】
例えば第２の筐体（蓋体）側に高画素カメラなど転送レートが高い装置が搭載される携帯電話機では、カメラからＣＰＵに向かう方向にも光配線を使うことが想定される。本実施形態は、割り込み信号を光信号に重畳して、ＣＰＵに伝送する点で、電気信号によって割込み信号をＣＰＵに伝送する第１の実施形態と異なっている。なお、本実施形態における筐体の構成は、図１に示す第１の実施形態と同様に折り畳み式の構成である。
【００７０】
図７に示すように、撮像部４１とＣＰＵ１３との間には、シリアライザ４２、電光変換部４３、光電変換部４４、デシリアライザ４５が設けられている。また、電光変換部４３と光電変換部４４との間は、光導波路４６で接続されている。
【００７１】
撮像部４１は、撮像した画像のデータを電気信号に変換し、この撮像部４１にパラレル接続されたシリアライザ４２に出力する。また、シリアライザ４２、電光変換部４３、光電変換部４４、及びデシリアライザ４５は、夫々図２に示すシリアライザ２２、電光変換部２３、光電変換部２４、及びデシリアライザ２５と同様の機能を有している。光導波路４６は、光導波路１５と同様に、ヒンジ１６内に収容されたループ部を備えている。
【００７２】
また、本実施形態においては、開閉状態を検出した際にデシリアライザ２５が出力するＩＮＴ信号２７を、画像データに重畳させてＣＰＵ１３に供給する。即ち、以下のように割込み信号の伝送が行われる。図７に示すように、デシリアライザ２５はＩＮＴ信号２７をシリアライザ４２に供給する。シリアライザ４２は、撮像部４１からの画像信号にＩＮＴ信号２７を重畳してパラレル／シリアル変換し、電光変換部４３に供給する。光導波路４６は、シリアル信号を電光変換して、光導波路４６を介して光信号を光電変換部４４に供給する。光電変換部４４は、光信号をシリアル信号に変換し、デシリアライザ４５に供給する。デシリアライザ４５は、シリアル／パラレル変換した画像データのシリアル信号と、ＩＮＴ信号２７とをＣＰＵ１３に供給する。
【００７３】
本実施形態における光通信の制御について、第１の筐体１１及び第２の筐体１２における機能的構成を図８に示す。なお、図８における光配信制御部３８は、表示データの光配信と撮像データの光配信との両方について制御するものとする。図７に示すＩＮＴ信号２７は、デシリアライザ２５に対応する損失率判別部３９から、光配信制御部３８（図７のシリアライザ４２、電光変換部４３、光導波路４６、光電変換部４４、及びデシリアライザ４５）を経由してＣＰＵ１３へ伝送される。
【００７４】
以上説明したように、本実施形態においては、割込み信号を、光信号に重畳させてＣＰＵ１３に送信することも可能である。
【００７５】
次に、本発明の第３の実施形態について説明する。図９（ａ），（ｂ）に、本発明の第３の実施形態に係る電子装置である携帯端末を示す。なお、図９（ａ），（ｂ）においても、図１（ａ），（ｂ）と同様に、図示の簡単化のため以下に示す部品以外の表示は省略する。
【００７６】
図９（ａ），（ｂ）に示すように、本実施形態の携帯端末５０は、第１の筐体５１、第２の筐体５２、ＣＰＵ５３、表示部５４、及び光導波路５５を備えている。本実施形態の携帯端末５０の構成は、第１の筐体１１と第２の筐体１２とが、スライドヒンジ５６を介して図の水平方向に相互にスライドすることにより、筐体の開閉状態を変化させるものである点において、図１（ａ），（ｂ）に示す第１の実施形態と異なっている。なお、本実施形態においては、図９（ａ）を筐体の閉状態とし、図９（ｂ）を開状態とする。
【００７７】
図９（ａ）に示すように、閉状態において、光導波路５５はＳ字状に屈曲した状態で第１の筐体１１と第２の筐体１２との間のスペースに収容されている。これに対して、図９（ｂ）に示すように、開状態においては光導波路５５が展開され、屈曲部の曲率半径が図９（ａ）のときの曲率半径よりも大きくなる。これを利用して、第１の実施形態と同様に、ＣＰＵ５３から送信される表示データに誤り検出用符号を付加することにより、第１の筐体１１側で損失率を求めて筐体の開閉状態を判別することができる。このように、回動式のヒンジ以外の開閉機構を有する電子装置においても、光通信を利用して筐体の開閉状態を判別することが可能となる。
【００７８】
次に、本発明の第４の実施形態について説明する。電子装置の種類によっては、筐体の開閉という２値動作のみならず、開状態における筐体の開度の大小に応じて例えば画面表示形態を変えるなどの機能が付加される可能性がある。そのため、本実施形態は、光通信を利用して開状態における筐体の開度の検出を可能としたことを特徴とする。
【００７９】
図１０に、本実施形態の開閉検出動作を示すフローチャートを示す。図１０に示す本実施形態は、筐体が開状態であると判別された（ステップＳ１６：ＹＥＳ）後に、筐体の開度を検出する処理（ステップＳ２１）が追加されている点で、図５に示す第１の実施形態と異なっている。
【００８０】
筐体の開度検出の精度を高めるためには、図４に示すグラフにおいて、曲率半径Ｒが小さい領域、即ちグラフの傾きが大きい領域で光導波路を使用することが好ましい。これは、開閉動作に伴う光導波路１５の曲率半径Ｒの変化に対して損失率の増減が大きくなるためである。但し、信号の損失自体は小さいほうが良いため、両者のバランスをとって光導波路１５の寸法を決定することが好ましい。
【００８１】
なお、図１０においては、開状態が継続しているときに開度を検出することとしているが、閉から開へ状態が変化したと判別したとき（ステップＳ１４とステップＳ１５との間）としてもよい。また、損失率を取得したとき（ステップＳ１２とステップＳ１３との間）に開度を検出することとしてもよい。この場合には、開閉状態の判別を行うとともに、開であると判別された場合には開度の検出を行う。
【００８２】
なお、この発明は上述した実施形態に限定されず、種々の変形及び応用が可能である。
【００８３】
本発明は、携帯電話機以外にも、例えば、カメラ、ＰＤＡ（Personal Digital Assistant）、ノートＰＣ（Personal Computer）、ウェアラブルＰＣ、電卓、電子辞書など、筐体の開閉機構を備えた電子装置に適用することができる。
【００８４】
また、上述の実施形態においては、第１の筐体（本体）を操作部とし第２の筐体（蓋体）を表示部として説明したが、ヒンジ等で結合された第１の筐体及び第２の筐体は、共に操作部であってもよく、共に表示部であってもよい。
【００８５】
また、上述の実施形態においては、筐体の開閉状態の判別結果に応じて照明等のＯＮ／ＯＦＦを行うこととしているが、開閉状態に応じた処理は電気的な処理以外に、機械的な処理であってもよい。例えば、本発明を折り畳み式のノートＰＣに適用し、筐体を開いて表示部を開放したときに、本体下部から角度調整用の足が自動的に出るようにしてもよい。
【００８６】
また、上述の実施形態においては、１軸のヒンジ機構を備えた携帯端末を例にとって説明したが、２軸ヒンジを備えた電子装置に本発明を適用することとしてもよい。このような電子装置としては、例えば、特許文献１に示す携帯端末のように、第２の筐体が、第１の筐体と第２の筐体との間に設けられた第１のヒンジと直交する第２のヒンジを備えたものが相当する。
【００８７】
図４に示したように、光導波路の曲率半径Ｒが比較的高い領域と比較的低い領域とでは、Ｒの変化に対する損失変化の増減（即ちグラフの傾き）が異なる傾向にある。この性質を利用して、第１のヒンジでは光導波路の曲率半径Ｒが小さい領域で開閉動作を行うようにし、第２のヒンジでは光導波路のＲが大きい領域で開閉動作を行うようにしてもよい。なお、この関係は第１のヒンジと第２のヒンジとで入れ替えてもよい。
【００８８】
また、第１の筐体と第２の筐体とが、１つのヒンジで縦開き及び横開きの両方の開閉動作が行える場合に、縦開き又は横開きの夫々の回転検知をするものであってもよい。つまり、上記の２軸ヒンジの場合と同様に、縦開きの場合と横開きの場合とで、開閉動作における光導波路の曲率半径Ｒの領域が異なるように構成することとしてもよい。
【００８９】
また、例えば電子装置自体の動き検知を目的として搭載されている加速度センサの出力を用いて、電子装置に動きがあると検知したら、ＣＰＵから表示部に対してダミーの通信を行うこととしてもよい。この場合も、信号品質をチェックすることにより、筐体の開閉状態を判別することができる。
【図面の簡単な説明】
【００９０】
【図１】第１の実施形態に係る電子装置の開閉状態を模式的に示す側面図である。
【図２】第１の実施形態に係る電子装置の光配線部の構成を示すブロック図である。
【図３】第１の実施形態に係る電子装置の内部構成を示すブロック図である。
【図４】光導波路の曲率半径と光損失変化との関係を示すグラフである。
【図５】第１の実施形態に係る電子装置の開閉状態の検出動作を示すフローチャートである。
【図６】第１の実施形態に係る電子装置の開閉状態と、エラーレート、割り込み信号、及び送信データとの関係を示すタイミングチャートである。
【図７】第２の実施形態に係る電子装置の光配線部の構成を示すブロック図である。
【図８】第２の実施形態に係る電子装置の内部構成を示すブロック図である。
【図９】第３の実施形態に係る電子装置の開閉状態を模式的に示す側面図である。
【図１０】第４の実施形態に係る電子装置の開閉状態の検出動作を示すフローチャートである。
【符号の説明】
【００９１】
１０…携帯端末、１１…第１の筐体、１２…第２の筐体、１３…ＣＰＵ、１４…表示部、１５…光導波路、１６…ヒンジ、２１…光配線部、２２…シリアライザ、２３…電光変換部、２４…光電変換部、２５…デシリアライザ、２７…ＩＮＴ信号、３１…アンテナ、３２…マイクロホン、３３…通話制御部、３４…入力部、３５…記憶部、３６…音声出力制御部、３７…スピーカ、３８…光配信制御部、３９…損失率判別部、４０…レシーバ、４１…撮像部、４２…シリアライザ、４３…電光変換部、４４…光電変換部、４５…デシリアライザ、４６…光導波路、５０…携帯端末、５１…第１の筐体、５２…第２の筐体、５３…ＣＰＵ、５４…表示部、５５…光導波路、５６…スライドヒンジ
【図１】
2009206622.tif 000003
【図２】
2009206622.tif 000004
【図３】
2009206622.tif 000005
【図４】
2009206622.tif 000006
【図５】
2009206622.tif 000007
【図６】
2009206622.tif 000008
【図７】
2009206622.tif 000009
【図８】
2009206622.tif 000010
【図９】
2009206622.tif 000011
【図１０】
2009206622.tif 000012